(57)【要約】      （修正有）【課題】メンテナンスをより便利にするＬＥＤ灯具を提供する。【解決手段】ＬＥＤ灯具は、ランプハウジング、第一接続部材２及び落下防止構造３を含み、ランプハウジングは第一ランプハウジング部１０１及び第二ランプハウジング部１０２を備え、第一接続部材は落下防止構造により第一ランプハウジング部に可動式に接続し、第一ランプハウジング部及び第二ランプハウジング部は第一接続部材により取り外し可能に接続固定される。【選択図】図１
0003220241.tif 000002
【実用新案登録請求の範囲】
【請求項１】
ランプハウジング、第一接続部材及び落下防止構造を含み、前記ランプハウジングは第一ランプハウジング部及び第二ランプハウジング部を備え、前記第一接続部材は前記落下防止構造により前記第一ランプハウジング部に可動式接続し、前記第一ランプハウジング部及び前記第二ランプハウジング部は前記第一接続部材により取り外し可能に接続固定されることを特徴とする、ＬＥＤ灯具。
【請求項２】
前記第一接続部材は螺着部材であり、前記螺着部材は前記落下防止構造に回転可能に設置されることを特徴とする、請求項１に記載のＬＥＤ灯具。
【請求項３】
前記螺着部材は頭部と螺着部の間に窪み部を設け、前記落下防止構造は前記螺着部材の窪み部に回転可能に接続されることを特徴とする、請求項２に記載のＬＥＤ灯具。
【請求項４】
前記落下防止構造は接続座金、フレキシブル接続部材及び弾性座金を含み、前記フレキシブル接続部材の一方と前記接続座金は接続し、前記フレキシブル接続部材の他方は前記第一ランプハウジング部に接続し、前記接続座金は前記窪み部に回転可能に設置され、前記弾性座金は前記接続座金と前記螺着部材頭部の間に設置され、
前記螺着部材が前記第一ランプハウジング部及び前記第二ランプハウジング部に接続固定する時、前記弾性座金は強く圧迫されることを特徴とする、請求項３に記載のＬＥＤ灯具。
【請求項５】
前記落下防止構造は、前記窪み部に接続する接続部位の口径と前記窪み部が合致するとともに、前記螺着部材の前記頭部及び螺着部の制限を受けるので上下に動いて外れることがないことを特徴とする、請求項３に記載のＬＥＤ灯具。
【請求項６】
フック接続ユニットをさらに含み、前記フック接続ユニットは前記第一ランプハウジング部と前記第二ランプハウジング部の間を接続し、前記第一ランプハウジング部と前記第二ランプハウジング部が開く時、対する方の可動範囲を制限することを特徴とする、請求項１に記載のＬＥＤ灯具。
【請求項７】
前記第一ランプハウジング部上に接続固定されるとともに、前記フック接続ユニットを接続する固定強化プレートをさらに含むことを特徴とする、請求項６に記載のＬＥＤ灯具。
【請求項８】
前記固定強化プレート上に接続固定され、前記ランプハウジング内部の配線を強く押圧固定するのに用いられる、配線押圧構造をさらに含むことを特徴とする、請求項７に記載のＬＥＤ灯具。
【請求項９】
前記フック接続ユニットは接続ワイヤー、第一接続留め具及び第二接続留め具を含み、前記接続ワイヤーの一端は前記第二ランプハウジング部に接続固定され、他端には前記第一接続留め具を設け、前記第二接続留め具は前記固定強化プレートに接続固定され、前記第一接続留め具と前記第二接続留め具の間は相互着脱可能であることを特徴とする、請求項７に記載のＬＥＤ灯具。
【請求項１０】
前記第二接続留め具は押圧片により前記固定強化プレートに接続固定されることを特徴とする、請求項９に記載のＬＥＤ灯具。
【請求項１１】
配線通過リングをさらに含み、前記第二ランプハウジング部にリード線を通す配線通過孔を穿設し、前記配線通過リングは前記配線通過孔の孔縁部に設置されることを特徴とする、請求項１に記載のＬＥＤ灯具。
【請求項１２】
支持プレートをさらに含み、前記支持プレートは前記第二ランプハウジング部に接続固定され、灯柱を接続固定するのに用いられ、前記支持プレートには開孔を穿設し、前記開孔と前記配線通過孔の位置は対応し、かつ前記開孔の孔径は前記配線通過孔の孔径よりも大きいことを特徴とする、請求項１１に記載のＬＥＤ灯具。
【請求項１３】
前記灯柱に接続され、リード線が前記灯柱を通って前記ランプハウジング内に入る、電源ユニットをさらに含むことを特徴とする、請求項１２に記載のＬＥＤ灯具。
【請求項１４】
前記電源ユニットはいくつかの電源部材を含み、各前記電源部材は折り畳みプレート又は展開プレートに配置固定され、前記折り畳みプレート又は前記展開プレートは前記灯柱に掛着されることを特徴とする、請求項１３に記載のＬＥＤ灯具。
【請求項１５】
前記第一ランプハウジング部上には、ＬＥＤモジュールを固定するのに用いられるいくつかのモジュール固定位置を設けることを特徴とする、請求項１から請求項１４のいずれか１項に記載のＬＥＤ灯具。
【請求項１６】
前記第一ランプハウジング部のモジュール固定位置上に接続固定され、かつ発光面が外向きである、少なくとも１組のＬＥＤモジュールをさらに含み、全ての前記ＬＥＤモジュールが前記第一ランプハウジング部上の全ての前記モジュール固定位置を埋める、又は少なくとも１つの前記モジュール固定位置を空きスペースとして残すことを特徴とする、請求項１５に記載のＬＥＤ灯具。
【請求項１７】
前記空きスペース上にカバープレートを設置することを特徴とする、請求項１６に記載のＬＥＤ灯具。
【請求項１８】
前記モジュール固定位置上に設置される増高部をさらに含み、前記ＬＥＤモジュールは前記増高部上に取り付けられることを特徴とする、請求項１５に記載のＬＥＤ灯具。
【請求項１９】
前記第二ランプハウジング部には放熱孔が設けられることを特徴とする、請求項１５に記載のＬＥＤ灯具。
【請求項２０】
前記第一ランプハウジング部及び前記第二ランプハウジング部の一側は前記第一接続部材により取り外し可能に接続固定され、他側はヒンジにより結合することを特徴とする、請求項１から請求項１４のいずれか１項に記載のＬＥＤ灯具。
【請求項２１】
ブラケットをさらに含み、前記ブラケットは第一ブラケット及び第二ブラケットを備え、前記第一ブラケットはねじにより前記第二ブラケットを回動可能に固定し、前記第一ブラケットはねじにより前記ランプハウジングに固定され、前記第一ブラケットには前記配線通過孔と合致する開孔を設けることを特徴とする、請求項１１に記載のＬＥＤ灯具。
【請求項２２】
前記第二ブラケットには電源取り付けプレートを設け、前記電源取り付けプレートは外付け電源の取り付けに用いられることを特徴とする、請求項２１に記載のＬＥＤ灯具。
【請求項２３】
前記第二ブラケットの中心位置には、灯柱を取り付けるのに用いられる開孔を設けることを特徴とする、請求項２１に記載のＬＥＤ灯具。
【請求項２４】
前記第一ブラケットと前記第二ブラケットの構造は同じであることを特徴とする、請求項２３に記載のＬＥＤ灯具。
【考案の詳細な説明】
【技術分野】
【０００１】
本考案は照明装置の技術分野に関し、特に、ＬＥＤ灯具に関する。
【背景技術】
【０００２】
ＬＥＤ（発光ダイオード）照明装置は現在、室内照明、室外照明、携帯式照明、ムード照明などのように様々な場所に広く用いられている。省エネ、長寿命、高い有用性、短時間での応答、環境への優しさ、華やかな色彩、高純度の発光色などの長所を有するＬＥＤ灯具、というのが照明器具業界発展の方向である。
【０００３】
ＬＥＤ灯具は一般的にランプハウジングを開けて内部のＬＥＤモジュールを取り出す必要があるため、ランプハウジングは開閉可能な上下蓋体の形式で製作される。現在市場に出回っている灯具は一般的にねじ締結により上下蓋体の接続を実現する方式を採用しており、上述の構造を有する灯具のメンテナンス時には、作業者はねじを取り外して上下蓋体を開けてメンテナンスを行う必要があり、外されたねじは紛失しやすいことが不便さをもたらす。特に高所での作業時には、ねじを置く場所がないことがよくあり、ねじを落とすと、下に降りてねじを見つけてから再度上に登ってメンテナンスを仕上げなくてはならず、非常に不便である。
【考案の概要】
【考案が解決しようとする課題】
【０００４】
本考案が解決しようとする課題は、メンテナンスにより便利なＬＥＤ灯具を提供することである。
【課題を解決するための手段】
【０００５】
上述の課題を解決するため、本考案が提案するＬＥＤ灯具は、ランプハウジング、第一接続部材及び落下防止構造を含み、前記ランプハウジングは第一ランプハウジング部及び第二ランプハウジング部を備え、前記第一接続部材は前記落下防止構造により前記第一ランプハウジング部に可動式接続し、前記第一ランプハウジング部及び第二ランプハウジング部は前記第一接続部材により取り外し可能に接続固定される。
【０００６】
本考案の一実施例によれば、前記第一接続部材は螺着部材であり、前記螺着部材は前記落下防止構造に回転可能に設置される。
【０００７】
本考案の一実施例によれば、前記螺着部材は頭部と螺着部の間に窪み部を設け、前記落下防止構造は前記螺着部材の窪み部に回転可能に接続される。
【０００８】
本考案の一実施例によれば、前記落下防止構造は接続座金、フレキシブル接続部材及び弾性座金を含み、前記フレキシブル接続部材の一方と前記接続座金は接続し、前記フレキシブル接続部材の他方は前記第一ランプハウジング部に接続し、前記接続座金は前記窪み部に回転可能に設置され、前記弾性座金は前記接続座金と前記螺着部材頭部の間に設置され、前記螺着部材が前記第一ランプハウジング部及び第二ランプハウジング部に接続固定する時、前記弾性座金は強く圧迫される。
【０００９】
本考案の一実施例によれば、前記落下防止構造は、前記窪み部に接続する接続部位の口径と前記窪み部が合致するとともに、螺着部材の前記頭部及び螺着部の制限を受けるので上下に動いて外れることがない。
【００１０】
本考案は一実施例によれば、フック接続ユニットをさらに含み、前記フック接続ユニットは第一ランプハウジング部と第二ランプハウジング部の間を接続し、前記第一ランプハウジング部と第二ランプハウジング部が開く時、対する方の可動範囲を制限する。
【００１１】
本考案は一実施例によれば、前記第一ランプハウジング部上に接続固定されるとともに、前記フック接続ユニットを接続する固定強化プレートをさらに含む。
【００１２】
本考案は一実施例によれば、前記固定強化プレート上に接続固定され、ランプハウジング内部の配線を強く押圧固定するのに用いられる、配線押圧構造をさらに含む。
【００１３】
本考案は一実施例によれば、前記フック接続ユニットは接続ワイヤー、第一接続留め具及び第二接続留め具を含み、前記接続ワイヤーの一端は前記第二ランプハウジング部に接続固定され、他端には前記第一接続留め具を設け、前記第二接続留め具は前記固定強化プレートに接続固定され、前記第一接続留め具と第二接続留め具の間は相互着脱可能である。
【００１４】
本考案の一実施例によれば、前記第二接続留め具は押圧片により前記固定強化プレートに接続固定される。
【００１５】
本考案は一実施例によれば、配線通過リングをさらに含み、前記第二ランプハウジング部にリード線を通すのに用いられる配線通過孔を穿設し、前記配線通過リングは前記配線通過孔の孔縁部に設置される。
【００１６】
本考案は一実施例によれば、支持プレートをさらに含み、前記支持プレートは前記第二ランプハウジング部に接続固定され、灯柱を接続固定するのに用いられ、前記支持プレートには開孔を穿設し、前記開孔と前記配線通過孔の位置は対応し、かつ前記開孔の孔径は前記配線通過孔の孔径よりも大きい。
【００１７】
本考案は一実施例によれば、前記灯柱に接続され、リード線が前記灯柱を通って前記ランプハウジング内に入る、電源ユニットをさらに含む。
【００１８】
本考案は一実施例によれば、前記電源ユニットはいくつかの電源部材を含み、各電源部材は折り畳みプレート又は展開プレートに配置固定され、前記折り畳みプレート又は展開プレートは前記灯柱に掛着される。
【００１９】
本考案の一実施例によれば、前記第一ランプハウジング部上には、ＬＥＤモジュールを固定するのに用いられるいくつかのモジュール固定位置を設ける。
【００２０】
本考案は一実施例によれば、前記第一ランプハウジング部のモジュール固定位置上に接続固定され、かつ発光面が外向きである、少なくとも１組のＬＥＤモジュールをさらに含み、全てのＬＥＤモジュールが前記第一ランプハウジング部上の全てのモジュール固定位置を埋める、又は少なくとも１つの前記モジュール固定位置を空きスペースとして残す。
【００２１】
本考案は一実施例によれば、前記空きスペース上にカバープレートを設置する。
【００２２】
本考案は一実施例によれば、前記モジュール固定位置上に設置される増高部をさらに含み、前記ＬＥＤモジュールは前記増高部上に取り付けられる。
【００２３】
本考案の一実施例によれば、前記第二ランプハウジング部には放熱孔が設けられる。
【００２４】
本考案の一実施例によれば、前記第一ランプハウジング部及び第二ランプハウジング部の一側は前記第一接続部材により取り外し可能に接続固定され、他側はヒンジにより結合する。
【００２５】
上述の技術方式を用いれば、本考案は既存技術と比較して次のような効果を有する。
【００２６】
第一ランプハウジング部と第二ランプハウジング部の接続に用いられる第一接続部材は、落下防止構造を第一ランプハウジング部に可動式接続するのに用いられるが、第一接続部材が接続された状態であろうと取り外された状態であろうと、ランプハウジングから完全に脱離することはないため、ランプハウジングを分解してメンテナンスする際に、第一接続部材が脱落又は紛失する事態を回避でき、特に高所での作業に適しており、メンテナンスがより便利になる。
【００２７】
螺着部材の螺着部を第一ランプハウジング部及び第二ランプハウジング部と締結する時、接続座金と螺着部材頭部の間で弾性座金は強く押圧され、弾性座金により螺着部材に一定のプリロードが与えられ、緩みやすくなるのを防止し、第一ランプハウジング部と第二ランプハウジング部の接続をより強固にする。
【００２８】
第一ランプハウジング部と第二ランプハウジング部の間にはフック接続ユニットをさらに設置し、第一ランプハウジング部と第二ランプハウジング部を開いた時、第一ランプハウジング部と第二ランプハウジング部の間は相互接続している関係であり、メンテナンスの際、灯具の上下ハウジングの間を自由に開くことができると同時に、互いに接続されているので上部ハウジング又は下部ハウジングが落下することもなく、メンテナンスがより便利になる。
【００２９】
本考案は一実施例によれば、ブラケットをさらに含み、前記ブラケットは第一ブラケット及び第二ブラケットを備え、前記第一ブラケットはねじにより前記第二ブラケットを回動可能に固定され、前記第一ブラケットはねじにより前記ランプハウジングに固定され、前記第一ブラケットには前記配線通過孔と合致する開孔を設ける。
【００３０】
本考案の一実施例によれば、前記第二ブラケットには電源取り付けプレートを設け、前記電源取り付けプレートは外付け電源の取り付けに用いられる。
【００３１】
本考案は一実施例によれば、前記第二ブラケットの中心位置に、灯柱を取り付けるのに用いられる開孔を設ける。
【００３２】
本考案の一実施例によれば、前記第一ブラケットと第二ブラケットの構造は同じである。
【図面の簡単な説明】
【００３３】
【図１】本考案の実施例におけるＬＥＤ灯具の分解構造を示す図である。
【図２】本考案の実施例におけるＬＥＤ灯具を開けた状態の構造を示す図である。
【図３】本考案の実施例における落下防止構造と第一接続部材の接続時の断面の構造を示す図である。
【図４】本考案の実施例における落下防止構造と第一接続部材の接続時の平面図である。
【図５】本考案の実施例における第一接続部材とランプハウジングの接続時の局部構造を示す図である。
【図６】本考案の実施例におけるランプハウジングの他側がヒンジにより結合した構造を示す図である。
【図７】本考案の実施例における灯具の外観構造を示す図である。
【図８】本考案のもう１つの実施例における灯具の外観構造を示す図である。
【図９】本考案の実施例における電源ユニットの構造を示す図である。
【図１０】本考案のもう１つの実施例における電源ユニットの構造を示す図である。
【図１１】本考案の実施例におけるブラケット付きＬＥＤ灯具の背面構造を示す図である。
【図１２】本考案の実施例におけるブラケット付きＬＥＤ灯具の正面構造を示す図である。
【図１３】本考案のもう１つの実施例におけるブラケット付きＬＥＤ灯具の背面構造を示す図である。
【図１４】本考案のもう１つの実施例におけるブラケット付きＬＥＤ灯具の正面構造を示す図である。
【図１５】本考案のもう１つの実施例における灯柱を取り付けたブラケット付きＬＥＤ灯具の構造を示す図である。
【考案を実施するための形態】
【００３４】
本考案の上述の目的、特徴及び利点をより分かりやすくするため、添付の図面と併せて本考案の具体的実施例について以下に詳細に説明する。
【００３５】
本考案を十分に理解するために、以下に具体例を詳述する。しかし、本考案はこれらの記載とは異なる多くのその他方式により実施することができ、当該分野の技術を熟知する者は、本考案の内容に背かない状況下で同様に押し広めることができる。したがって、本考案は以下に開示する具体的実施例に限定されない。
【００３６】
図１及び図２を参照すると、一実施例において、ＬＥＤ灯具はランプハウジング１、第一接続部材２及び落下防止構造３を含むことができる。例えばＬＥＤモジュール９０１、電源ユニットなど、その他必要な部材をさらに含むことも当然できるが、具体的に限定しない。
【００３７】
前記ランプハウジング１は第一ランプハウジング部１０１及び第二ランプハウジング部１０２をさらに備えることができる。本実施例では、第一ランプハウジング部１０１は下部ハウジングであり、第二ランプハウジング部１０２は上部ハウジングであり、ＬＥＤモジュール９０１を下部ハウジングに取り付けるとランプハウジング１を開ける時は上部ハウジングを開けることにより開くと理解できるが、当然これに限定されない。第一ランプハウジング部１０１と第二ランプハウジング部１０２は入れ替え可能であり、すなわち、落下防止構造３は上部ハウジング又は下部ハウジングに接続でき、その他の要素にも同じことがいえる。以下の実施例の内容はいずれも第一ランプハウジング部を下部ハウジングとして説明を展開しているが、これに限定されず、上部ハウジング部としてでもよい。
【００３８】
前記第一接続部材２は前記落下防止構造３により前記第一ランプハウジング部１０１に可動式接続し、前記第一ランプハウジング部１０１及び第二ランプハウジング部１０２は前記第一接続部材２により取り外し可能に接続固定される。言い換えると、第一接続部材２は第一ランプハウジング部１０と第二ランプハウジング部１０２を接続するとともに、それらを固定してランプハウジング全体を形成するために用いられ、該第一部材２は取り外し可能な接続構造であり、取り外した後に第一ランプハウジング部１０１と第二ランプハウジング部１０２を開くことができ、落下防止構造３は第一接続部材２を第一ランプハウジング部１０１に接続するのに用いられ、第一接続部材２の可動性を保証し、接続取り外しの際の不便を回避し、第一ランプハウジング部１０１と第二ランプハウジング部１０２の接続には影響しない。
【００３９】
第一ランプハウジング部１０１と第二ランプハウジング部１０２の接続に用いられる第一接続部材２は、落下防止構造３を第一ランプハウジング部１０１に可動式接続するのに用いられるが、第一接続部材２が接続された状態であろうと取り外された状態であろうと、ランプハウジング１から完全に脱離することはないため、ランプハウジング１を分解してメンテナンスする際に、第一接続部材２が脱落又は紛失する事態を回避でき、特に高所での作業に適しており、メンテナンスがより便利になる。
【００４０】
一実施例において、前記第一接続部材２は螺着部材であり、前記螺着部材は前記落下防止構造３に回転可能に設置される。螺着部材は例えばねじであり、既存のねじ又は既存の物を改造したねじであってもよく、螺着部材の落下防止構造３に対する回転を保証できれば、螺着部材が第一ランプハウジング部１０１及び第二ランプハウジング部１０２に接続する時のねじの回転に影響しない。
【００４１】
図３から図５を参照すると、好ましくは、前記螺着部材は頭部２０１と螺着部２０３の間に窪み部２０２を設け、前記落下防止構造３は前記螺着部材の窪み部２０２に回転可能に接続される。当然、螺着部材は上から下の順に頭部２０１、窪み部２０２及び螺着部２０３を備えることができ、頭部２０１は外力を加えるために用いられ、螺着部２０３は螺着を実現するのに用いられ、窪み部２０２は頭部２０１と螺着部２０３に相対して窪んでいるので、落下防止構造３が窪み部２０２に設置されると、螺着部材が脱離するのを回避できる。
【００４２】
好ましくは、図３から図５を続けて参照すると、前記落下防止構造３は接続座金３０２、フレキシブル接続部材３０１及び弾性座金３０３を含む。フレキシブル接続部材３０１は例えば、自由度が大きくかつ構造が強固なスチールワイヤーであってもよい。接続座金３０２の強度に対する要求も比較的高く、例えば鋼材であってもよい。
【００４３】
前記フレキシブル接続部材３０１の一方は前記接続座金３０２と接続し、他方は前記第一ランプハウジング部１０１に接続する。図５を参照すると、第一ランプハウジング部１０１に固定軸を設置でき、フレキシブル接続部材３０１の一端は固定軸上に環装され、一定の自由可動空間を有するが、固定軸を脱離することはなく、これにより螺着部材の移動の柔軟性が増す。
【００４４】
前記接続座金３０２は前記窪み部２０２に回転可能に設置され、すなわち、螺着部材は窪み部２０２と接続座金３０２の組み合わせにより接続座金３０２に相対して回転でき、これによりねじ接続時にフレキシブル接続部材３０１が巻き付くことを回避でき、さらに、接続後にフレキシブル接続部材３０１の反作用力のために螺着部材が緩んでしまう事態も回避できる。
【００４５】
前記弾性座金３０３は前記接続座金３０２と前記螺着部材の頭部２０１の間に設置される。前記螺着部材が前記第一ランプハウジング部１０１及び第二ランプハウジング部１０２に接続固定する時、前記弾性座金３０３は強く圧迫される。
【００４６】
螺着部材の螺着部２０３と第一ランプハウジング部１０１及び第二ランプハウジング部１０２を締結する時、接続座金３０２と螺着部材の頭部２０１の間で弾性座金３０３は強く押圧され、弾性座金３０３により螺着部材に一定のプリロードが与えられ、緩みやすくなるのを防止し、第一ランプハウジング部１０１と第二ランプハウジング部１０２の接続をより強固にする。
【００４７】
好ましくは、図３を参照すると、前記落下防止構造３は、前記窪み部２０２に接続する接続部位の口径と前記窪み部２０２が合致するとともに、螺着部材の前記頭部２０１及び螺着部２０３の制限を受けるので上下に動いて外れることがない。言い換えると、接続座金３０２上に貫通孔又は窪み部２０２に環装できるその他の開口（例えば切り欠きを有する円孔）を設け、貫通孔又は開口の孔径と窪み部は合致し、螺着部材が揺れにより緩んで脱落する問題を防止できる。
【００４８】
好ましくは、図１及び図６を参照すると、前記第一ランプハウジング部１０１及び第二ランプハウジング部１０２の一側は前記第一接続部材２により取り外し可能に接続固定され、他側はヒンジにより結合する。第一ランプハウジング部１０１と第二ランプハウジング部１０２が一側でヒンジ結合する時、それに相対する一側は第一接続部材２により取り外し可能に接続固定され、残りのいくつかの側面が第一接続部材２により取り外し可能に接続固定されることも可能である。
【００４９】
図１及び図６を続けて参照すると、ヒンジはヒンジ１１であってもよく、２つの部分はそれぞれねじ接続により第一ランプハウジング部１０１及び第二ランプハウジング部１０２に接続固定する。ヒンジの安定性のために、ヒンジ１１と第一ランプハウジング部１０１の接続部位にヒンジ座金１２をさらに接続できる。
【００５０】
一実施例では、ＬＥＤ灯具はフック接続ユニットをさらに含むことができ、これはランプハウジングの落下防止ユニットと見なすことができる。前記フック接続ユニットは前記第一ランプハウジング部１０１と第二ランプハウジング部１０２の間を接続し、前記ランプハウジング部１０１と前記ランプハウジング部１０２が開く時、対する方の可動範囲を制限する。この開いた状態は、第一ランプハウジング部１０１と第二ランプハウジング部１０２が共にヒンジ結合している状態でもよいし、両者の間にフック接続ユニットの接続以外にその他の接続関係がない状態でもよい。
【００５１】
第一ランプハウジング部１０１と第二ランプハウジング部１０２の間にはフック接続ユニットをさらに設置し、第一ランプハウジング部１０１と第二ランプハウジング部１０２が開く時、第一ランプハウジング部１０１と第二ランプハウジング部１０２の間は相互にフック接続する関係であり、メンテナンスの際、灯具の上下ハウジングの間は自由に開くことができると同時に、互いにフック接続して上部ハウジング又は下部ハウジングが落下することがないので、メンテナンスがより便利になる。
【００５２】
一実施例では、ＬＥＤ灯具は固定強化プレート５をさらに含むことができる。固定強化プレート５は前記ランプハウジング部１０１上に接続固定され、ねじにより接続固定できるとともに、前記フック接続ユニットを接続できる。固定強化プレート５は例えば板金部材であってもよいが、固定を強化する役割を果たせれば、当然これに限定されない。フック接続ユニットは固定強化プレート５上に接続し、固定強化プレート５と第一ランプハウジング部１０１の間の接続に用いられ、第一ランプハウジング部１０１上にかかる力を分担し、ランプハウジングは一般的に薄く、固定強化プレート５が板金部材であると、第一ランプハウジング部１０１との接続面をより大きくすることができ、力が集中して第一ランプハウジング部１０１が変形するという問題を回避できる。
【００５３】
一実施例では、ＬＥＤ灯具は配線押圧構造６をさらに含むことができる。配線押圧構造６は前記固定強化プレート５上に接続固定され、ランプハウジング１内部の配線を強く押圧固定するのに用いられる。配線押圧構造６は配線押圧プレートであってもよく、配線を強く押圧して固定強化プレート５上に固定するので、固定強化プレート５は固定強化の役割を果たすことができると同時に、配線を固定する役割を果たすとこともできる。
【００５４】
該配線はＬＥＤモジュール９０１を接続する配線であってもよく、ＬＥＤモジュール９０１を接続する配線を配線押圧構造６及び固定強化プレート５を用いて固定し、外部から配線が引っぱられてＬＥＤモジュール９０１との間の電気的接続が不安定になるのを防止する。
【００５５】
好ましくは、図１及び図２を参照すると、前記フック接続ユニットは接続ワイヤー４０１、第一接続留め具４０２及び第二接続留め具４０３を含み、当然、フック接続ユニットは１組であってもよく、安定性を高めるために、２組以上設置することもできる。第一接続留め具４０２及び第二接続留め具４０３の具体的形式は限定されず、相互に着脱できればよく、例えば第二接続留め具４０３はカラビナであってもよく、第一接続留め具４０２は単なる環形構造であってもよく、両者は入れ替え可能である。接続ワイヤー４０１は好ましくはスチールワイヤーである。
【００５６】
前記接続ワイヤー４０１の一端は前記第二ランプハウジング部１０２に接続固定され、接続ワイヤー４０１の他端は前記第一接続留め具４０２を設ける。前記第二接続留め具４０３は前記固定強化プレート５に接続固定され、前記第一接続留め具４０２と第二接続留め具４０３の間は相互着脱可能である。第二接続留め具４０３は固定強化プレート５に接続固定され、第二ランプハウジング部１０２が第一ランプハウジング部１０１にフック接続する時、固定強化の役割を果たし、第一ランプハウジング部１０１の接続部位が変形するのを防止する。第二ランプハウジング部１０２もまた同様に、支持プレート８を接続固定した後、接続ワイヤー４０１を支持プレート８に接続し、固定強化の役割を果たすことができる。
【００５７】
好ましくは、前記第二接続留め具４０３は押圧片４０５により前記固定強化プレート５に接続固定される。押圧片４０５は固定強化プレート５に接続することができ、押圧片４０５上にアイスクリューを接続し、第二接続留め具４０３はアイスクリュー上に設置し、接続ワイヤー４０１を引っ張った時の力を固定強化プレート５に伝えることができる。
【００５８】
一実施例では、ＬＥＤ灯具は配線通過リング７をさらに含むことができる。前記第二ランプハウジング部１０２にリード線を通す配線通過孔を穿設し、配線通過孔は、リード線をランプハウジング１内部に引き入れるとともに、ＬＥＤモジュール９０１の配線に接続するのに用いることができる。前記配線通過リング７は前記配線通過孔の孔縁部に設置され、鋭い孔縁部を覆う。配線通過リング７は例えばゴムリングであってもよいが、これに限定されない。
【００５９】
ランプハウジング１は一般的に金属構造でありかつ薄いため、孔縁部が鋭く、配線を切断しやすく、配線通過リング７を設置すれば、接触面積の増大及び接触する材質の変化により、配線の切断を回避できる。
【００６０】
一実施例では、図１を続けて参照すると、ＬＥＤ灯具は支持プレート８をさらに含むことができる。前記支持プレート８は前記第二ランプハウジング部１０２に接続固定され、灯柱を接続固定するのに用いられる（図中未表示）。支持プレート８はねじにより第二ランプハウジング部１０２に接続固定でき、灯柱はねじにより第二ランプハウジング部１０２に固定され、灯柱はねじにより支持プレート８に固定されることから、灯柱の力は主に支持プレート８に加えられ、固定強化の役割を果たし、第二ランプハウジング部１０２の変形を防止でき、受ける力を均等にするため、接続部位は均等に配置することができる。
【００６１】
前記支持プレート８には開孔を穿設し、前記開孔と前記配線通過孔の位置は対応し、かつ前記開孔の孔径は前記配線通過孔の孔径よりも大きい。支持プレート８の開孔の孔径が大きいことにより、配線通過リング７を設置しなくても正常に配線を通すことができる。
【００６２】
一実施例では、ＬＥＤ灯具は電源ユニットをさらに含む。電源ユニットは前記灯柱に接続され、リード線が前記灯柱を通って前記ランプハウジング１内に入る。電源ユニットは灯柱に接続され、電源ユニットは、リード線をランプハウジングに引き入れることによりＬＥＤモジュール９０１と電気的接続し、ランプハウジング１に設置されるものではないので、メンテナンスがより便利になり、ランプハウジング１を取り外す必要がなく、特に比較的高い場所に取り付けられる投光器などに適しており、高所に登って作業する必要がない。
【００６３】
好ましくは、前記電源ユニットはいくつかの電源部材を含む。各電源部材は折り畳みプレート又は展開プレートに配置固定され、前記折り畳みプレート又は展開プレートは前記灯柱に掛着される。図９を参照すると、各電源部材は折り畳みプレート１３３に配置固定され、電源ユニットは電源ドライバー１３１及びサージ防護装置１３２を備えることができるが、当然これに限定されない。折り畳みプレート１３３の両側にはこれらの電源ドライバー１３１及びサージ防護装置１３２が対称的に設置され、当然両側の間には隙間があり、熱が伝わるのを防止し、折り畳みプレート１３３の両側に配置取り付けすることにより、灯柱の空間を十分に利用することができる。図１０を参照すると、各電源部材は展開プレート上に配置固定され、複数の電源部材は間隔を開けて配置でき、電源部材は同様に電源ドライバー及びサージ防護装置などを備えることができるが、これに限定されない。
【００６４】
一実施例では、前記第一ランプハウジング部１０１上には、ＬＥＤモジュール９０１を固定するのに用いられるいくつかのモジュール固定位置を設ける。これらのモジュール固定位置はＬＥＤモジュール９０１を固定するのに用いられるが、当然空きスペースのまま残してもよく、複数のモジュール固定位置を設置すれば、モジュールの数量を選べるようになり、様々な電力と互換でき、同じタイプの灯具で様々な電力方式を実現できる。
【００６５】
一実施例では、ＬＥＤ灯具は少なくとも１組のＬＥＤモジュール９０１をさらに含むことができる。ＬＥＤモジュール９０１は前記第一ランプハウジング部１０１のモジュール固定位置上に接続固定され、かつ発光面が外向きである。全てのＬＥＤモジュール９０１が前記第一ランプハウジング部１０１上の全てのモジュール固定位置を埋める、又は少なくとも１つのモジュール固定位置を空きスペースとして残す。例えば、モジュール固定位置が１０個ある場合、８組のモジュールを取り付けて２個の空きスペースを残すことが可能であり、１０組のモジュールで全て埋めることもできるが、具体的に限定されない。
【００６６】
好ましくは、ＬＥＤ灯具は前記空きスペース上にカバープレート９０２を設置し、灯具外観の完全性を保証し、外観をさらに美しくする。
【００６７】
好ましくは、ＬＥＤ灯具は増高部１０をさらに含むことができる。増高部１０は前記モジュール固定位置上に設置される。前記ＬＥＤモジュール９０１は前記増高部１０上に取り付けられる。
【００６８】
好ましくは、前記第二ランプハウジング部１０２には放熱孔が設けられ、放熱孔の形状及び数量は限定されず、放熱孔はＬＥＤモジュール９０１から生成される熱を放出するのに有利である。
【００６９】
一実施例では、ＬＥＤ灯具はブラケット１４をさらに含み、前記ブラケット１４は第一ブラケット１４１及び第二ブラケット１４２を備え、前記第一ブラケット１４１はねじにより前記第二ランプハウジング１０２に固定設置される。前記第一ブラケット１４１には前記第二ランプハウジング部１０２の前記配線通過孔と合致する開孔１４３を設ける。前記第一ブラケット１４１及び前記第二ブラケット１４２はねじにより回動可能に固定される。前記第二ブラケット１４２は両側アームとハンドルを備え、側壁の間に電源取り付けプレート１４４を固定設置し、前記電源取り付けプレート１４４は電源ドライバー１３１及びサージ防護装置１３２の取り付けに用いられる。前記電源取り付けプレート１４４は放熱に用いられる放熱孔１４５をさらに設ける。
【００７０】
一実施例では、ＬＥＤ灯具中の第一ブラケット１４１と第二ブラケット１４２の構造は同じであり、前記第二ブラケット１４２の中心位置に灯柱を取り付けるのに用いられる開孔を設ける。前記電源は外付け電源であり、灯柱に掛着される。
【００７１】
本考案では好ましい実施例を上述のように開示したが、これは実用新案登録請求の範囲を限定するものではなく、当該分野の技術を熟知する者なら誰でも、本考案の精神と領域を脱しない範囲内で各種の変更や潤色を加えることができる。したがって、本考案の保護範囲は実用新案登録請求の範囲で定めた内容を基準とする。
【符号の説明】
【００７２】
１  ランプハウジング
１０１  第一ランプハウジング部
１０２  第二ランプハウジング部
２  第一接続部材
２０１  頭部
２０２  窪み部
２０３  螺着部
３  落下防止構造
３０１  フレキシブル接続部材
３０２  接続座金
３０３  弾性座金
４０１  接続ワイヤー
４０２  第一接続留め具
４０３  第二接続留め具
４０４  接続部材
４０５  押圧片
５  固定強化プレート
６  配線押圧構造
７  配線通過リング
８  支持プレート
９０１  ＬＥＤモジュール
９０２  カバープレート
１０  増高部
１１  ヒンジ
１２  ヒンジ座金
１３１  電源ドライバー
１３２  サージ防護装置
１３３  折り畳みプレート
１４  ブラケット
１４１  第一ブラケット
１４２  第二ブラケット
１４３  開孔
１４４  電源取り付けプレート
１４５  放熱孔
【図１】
0003220241.tif 000003
【図２】
0003220241.tif 000004
【図３】
0003220241.tif 000005
【図４】
0003220241.tif 000006
【図５】
0003220241.tif 000007
【図６】
0003220241.tif 000008
【図７】
0003220241.tif 000009
【図８】
0003220241.tif 000010
【図９】
0003220241.tif 000011
【図１０】
0003220241.tif 000012
【図１１】
0003220241.tif 000013
【図１２】
0003220241.tif 000014
【図１３】
0003220241.tif 000015
【図１４】
0003220241.tif 000016
【図１５】
0003220241.tif 000017